(57)【要約】【課題】  梱包作業の自由度を高め、梱包作業の効率化を図り、封緘を解かずに付属品の交換を行える梱包材構造を提供する。【解決手段】  ダンボール箱１２に電子機器とその付属品が緩衝部材２０とともに収納される。梱包材構造１０は、ダンボール箱１２と、ダンボール箱１２の側面１２０６Ａに形成された開口１４と、緩衝部材２０に設けられ開口１４からダンボール箱１２の内部に延在する収納空間１７を有する収納部１６と、ダンボール製の収納箱１８とを含んで構成されている。収納部１６は、収納空間１７に収納された収納箱１８の長手方向と直交する方向への移動を阻止し、かつ、収納箱１８の長手方向で開口１４が設けられた側面１２０６Ａに対向する側面１２０６Ｂ方向への移動を阻止するように構成されている。【選択図】図１
2007308167.tif 000002
【特許請求の範囲】
【請求項１】
ダンボール箱と、
前記ダンボール箱の箱形状を構成する複数の面のうちの１つの面に設けられた開口と、
前記ダンボール箱の内部に設けられ前記開口から前記ダンボール箱の内部に延在する収納空間を有する収納部と、
前記開口から前記収納空間に挿脱可能に収納される収納箱とを備え、
前記収納部は、前記開口から前記収納空間に挿入され収納された前記収納箱を、前記挿入される方向と直交する方向への移動を阻止し、かつ、ダンボール箱の内部で前記開口から離れる方向への移動を阻止するように形成されている、
ことを特徴とする梱包材構造。
【請求項２】
前記ダンボール箱は水平方向を向いた側面を有し、前記開口が設けられた前記面は、前記側面であることを特徴とする請求項１記載の梱包材構造。
【請求項３】
前記ダンボール箱は底面、上面、４つの側面からなる直方体状を呈し、前記開口が設けられた前記面は、前記４つの側面のうちの１つの側面であり、前記収納空間は、前記開口から前記１つの側面に直交する方向に延在していることを特徴とする請求項１記載の梱包材構造。
【請求項４】
前記ダンボール箱は底面、上面、４つの側面からなる直方体状を呈し、前記開口が設けられた前記面は、前記４つの側面のうちの１つの側面であり、前記収納空間は、前記開口から前記１つの側面に直交する方向で前記１つの側面に対向する側面の近傍まで延在していることを特徴とする請求項１記載の梱包材構造。
【請求項５】
前記ダンボール箱は底面、上面、４つの側面からなる直方体状を呈し、前記開口が設けられた前記面は、前記４つの側面のうちの１つの側面であり、前記開口は前記１つの側面の上部に設けられ、前記収納空間は、前記開口から前記１つの側面に直交する方向に延在していることを特徴とする請求項１記載の梱包材構造。
【請求項６】
前記開口を開閉する蓋片が、前記開口が設けられた前記面を構成するダンボール箱の部分に一体に揺動可能に設けられていることを特徴とする請求項１記載の梱包材構造。
【請求項７】
前記ダンボール箱は底面、上面、４つの側面からなる直方体状を呈し、前記開口が設けられた前記面は、前記４つの側面のうちの１つの側面であり、前記開口は前記１つの側面の上部に設けられ、前記収納空間は、前記開口から前記１つの側面に直交する方向に延在し、前記開口を開閉する蓋片が前記１つの側面の部分に一体に設けられ、前記蓋片は、前記１つの側面の上縁を構成する稜線を支点として揺動可能に設けられていることを特徴とする請求項１記載の梱包材構造。
【請求項８】
前記収納箱は、均一の幅と均一の高さと、前記幅、高さよりも大きい寸法の奥行きを有する直方体状を呈していることを特徴とする請求項１記載の梱包材構造。
【請求項９】
前記収納箱は、均一の幅と均一の高さと、前記幅、高さよりも大きい寸法の奥行きを有する直方体状を呈し、
前記収納箱の奥行き方向の端部に、前記収納箱が前記収納空間に収納された状態で前記開口に臨む摘みが設けられていることを特徴とする請求項１記載の梱包材構造。
【請求項１０】
前記収納箱は、均一の幅と均一の高さと、前記幅、高さよりも大きい寸法の奥行きを有する直方体状を呈し、高さ方向の両端に位置する２つの面のうちの一方が上面で他方が下面となっており、前記上面は開閉可能に設けられていることを特徴とする請求項１記載の梱包材構造。
【請求項１１】
前記ダンボール箱は水平方向を向いた側面を有し、
前記開口が設けられた前記面は前記側面であり、
前記収納空間は水平方向に延在していることを特徴とする請求項１記載の梱包材構造。
【請求項１２】
前記ダンボール箱は水平方向を向いた側面を有し、
前記開口が設けられた前記面は前記側面であり、
前記収納空間は水平方向に細長に延在し、
前記収納箱は、前記収納空間に収納されるように細長に形成されている、
ことを特徴とする請求項１記載の梱包材構造。
【請求項１３】
前記梱包材構造は、前記ダンボール箱に収納される製品と前記ダンボール箱との間の隙間に充填されて前記製品の位置を保持する緩衝部材を備え、
前記収納空間は前記緩衝部材に形成され、
前記収納部は、前記収納空間と、前記収納空間を仕切る前記緩衝部材の部分とを含んで構成されている、
ことを特徴とする請求項１記載の梱包材構造。
【請求項１４】
前記梱包材構造は、前記ダンボール箱に収納される製品と前記ダンボール箱との間の隙間に充填されて前記製品の位置を保持する緩衝部材を備え、
前記収納空間は前記緩衝部材に形成され、
前記収納部は、前記収納空間と、前記収納空間を仕切る前記緩衝部材の部分とを含んで構成され、
前記収納部は、前記緩衝部材に揺動可能に設けられ前記開口に臨んで前記収納空間を開閉する蓋片を有している、
ことを特徴とする請求項１記載の梱包材構造。
【請求項１５】
前記ダンボール箱は底面、上面、４つの側面からなる直方体状を呈し、前記開口が設けられた前記平面は、前記４つの側面のうちの１つの側面であり、
前記梱包材構造は、前記ダンボール箱に収納される製品と前記ダンボール箱との間の隙間に充填されて前記製品の位置を保持する緩衝部材を備え、
前記収納空間は前記緩衝部材に形成され、
前記収納部は、前記収納空間と、前記収納空間を仕切る前記緩衝部材の部分とを含んで構成され、
前記収納箱は、均一の幅と均一の高さと、前記幅、高さよりも大きい寸法の奥行きを有する直方体状を呈し、
前記収納空間を仕切る前記緩衝部材の部分は、前記開口の近傍に位置し前記収納空間に収納された前記収納箱の奥行き方向の両端のうちの一方の端部寄り箇所に当接し前記収納箱の幅方向および高さ方向への移動を阻止する第1当接部と、前記収納空間に収納された前記収納箱の奥行き方向の両端のうちの他方の端部寄り箇所に当接し前記収納箱の幅方向および前記収納箱の奥行き方向で前記開口が設けられた側面に対向する側面方向への移動を阻止する第２当接部とを有している、
ことを特徴とする請求項１記載の梱包材構造。
【請求項１６】
前記緩衝部材はダンボールからなり、
前記第１当接部において、前記収納箱の高さ方向への移動を阻止する部分は、前記収納空間の底部を仕切る底面部と、前記収納空間の上部を仕切る上面部とを有し、
前記底面部は、前記ダンボールを構成する１枚のダンボール片で構成され、前記上面部は前記ダンボールを構成する２枚のダンボール片が重ね合わされて構成されている、
ことを特徴とする請求項１５記載の梱包材構造。
【請求項１７】
前記収納空間は、前記第1当接部に設けられた第1収納空間と、前記第２当接部に設けられた第２収納空間とを含んで構成されている、
ことを特徴とする請求項１５記載の梱包材構造。
【請求項１８】
前記開口を開閉する蓋片が、前記開口が設けられた前記面を構成するダンボール箱の部分に一体に揺動可能に設けられ、
前記梱包材構造は、前記ダンボール箱に収納される製品と前記ダンボール箱との間の隙間に充填されて前記製品の位置を保持する緩衝部材を備え、
前記収納空間は前記緩衝部材に形成され、
前記収納部は、前記収納空間と、前記収納空間を仕切る前記緩衝部材の部分とを含んで構成され、
前記収納部は、前記緩衝部材に揺動可能に設けられ前記開口に臨んで前記収納空間を開閉する蓋片を有し、
前記開口を開閉する蓋片と前記収納空間を開閉する蓋片とは同一の方向に揺動する、
ことを特徴とする請求項１記載の梱包材構造。
【発明の詳細な説明】
【技術分野】
【０００１】
本発明は梱包材構造に関し、より詳細には、ダンボール箱を用いた梱包材構造に関する。
【背景技術】
【０００２】
従来、例えば電気製品とその付属品を収納する梱包材構造としてダンボール箱を用いる方式が知られている。
この種のダンボール箱の多くは直方体形状を呈し、全ての製品や付属品を収納した後、上面を封緘テープにより封緘するようにしている。
したがって、一部の付属品を後から出し入れするような場合には、封緘を解かなければならない不具合があった。
このような不具合を解消するため、ダンボール箱の側面に開口を設け、この開口を開閉する蓋体を設けた梱包材構造が提案されている（特許文献１参照）。
【特許文献１】特開平９−２４４８号公報
【発明の開示】
【発明が解決しようとする課題】
【０００３】
しかしながら、この梱包材構造では、封緘を解かずに後から開口を通して付属品などをダンボール箱の内部に投入できるものの、既に収納した付属品などの交換は、依然として封緘を解かなければ行えない不具合がある。
例えば、ＤＶＤプレーヤーやＣＤプレーヤーなどの電気製品を、リモコン装置や電源ケーブルなどの付属品とともに梱包して出荷する際に、リモコン装置として米国向けに英語で表示されたものと、日本国内向けに日本語で表示されたものとの２種類があり、双方の出荷日と出荷数（数万個、数十万個の単位）とが決められ全ての付属品および機器本体が梱包されてダンボール箱が封緘テープにより封緘されていたが直前になって米国向けと日本国内向けとの間で出荷数の変更が生じた場合、あるいは、米国の規格に合わせた電源ケーブルと、日本国内の規格に合わせた電源ケーブルとの２種類があり、双方の出荷日と出荷数（数万個、数十万個の単位）とが決められ全ての付属品および機器本体が梱包されてダンボール箱が封緘テープにより封緘されていたが直前になって米国向けと日本国内向けとの間で出荷数の変更が生じた場合、依然として封緘を解かなければ既に収納した付属品などの交換を行えず迅速に対応できない不具合がある。
本発明はこのような事情に鑑みなされたものであり、その目的は、梱包作業の自由度を高め、梱包作業の効率化を図り、封緘を解かずに付属品の交換を簡単に行える梱包材構造を提供することにある。
【課題を解決するための手段】
【０００４】
上述の目的を達成するため、本発明の梱包材構造は、ダンボール箱と、前記ダンボール箱の箱形状を構成する複数の面のうちの１つの面に設けられた開口と、前記ダンボール箱の内部に設けられ前記開口から前記ダンボール箱の内部に延在する収納空間を有する収納部と、前記開口から前記収納空間に挿脱可能に収納される収納箱とを備え、前記収納部は、前記開口から前記収納空間に挿入され収納された前記収納箱を、前記挿入される方向と直交する方向への移動を阻止し、かつ、ダンボール箱の内部で前記開口から離れる方向への移動を阻止するように形成されていることを特徴とする。
【発明の効果】
【０００５】
本発明によれば、ダンボール箱に、製品が付属品とともに収納されダンボール箱が封緘テープにより封緘された状態で、梱包を解くことなく収納箱を出し入れできるので、付属品を後から収納でき、あるいは、交換でき、梱包作業の効率化を図る上で有利となる。
【発明を実施するための最良の形態】
【０００６】
次に、本発明の実施の形態について図面を参照して説明する。
図１（Ａ）乃至（Ｃ）は本実施の形態の梱包材構造１０の要部の分解説明図、図２（Ａ）、（Ｂ）は本実施の形態の梱包材構造１０の梱包作業の説明図である。
本実施の形態では、図２に示すように、梱包材構造１０により、例えばＤＶＤプレーヤー、ＣＤプレーヤーなどの電子機器が、リモコン装置２や電源ケーブル４などの付属品と共に梱包されるものである。
図１に示すように、梱包材構造１０は、ダンボール箱１２と、開口１４と、収納部１６と、収納箱１８と、複数の緩衝部材２０とを含んで構成されている。
【０００７】
図３はダンボール箱１２を構成するダンボール１２Ａの展開図である。
ダンボール箱１２は、１枚のダンボール１２Ａから形成され、ダンボール１２Ａには複数の折れ線（図３に点線で示す）および複数の切れ線（図３に実線で示す）を介して複数の片体１２Ｂが形成されている。
ダンボール箱１２は図１、図２に示すように、それら片体１２Ｂが折れ線を介して適宜折曲され、底面１２０２、上面１２０４、４つの側面１２０６からなる直方体状の箱形状を呈している。
なお、底面１２０２と上面１２０４は、それぞれ互いに対向する１組の側面１２０６の下側の稜線、上側の稜線から片体１２Ｂが折曲された後、その外側に残りの１組の側面１２０６の下側の稜線、上側の稜線から片体１２Ｂが折曲され重ね合わされ、それらの先端間を封緘テープ２２によって接着することで形成されている。
なお、図１乃至図３において、符号１２２０は対向する２つの側面１２０６にそれぞれ設けられた紐状の把手を示す。
【０００８】
図４（Ａ）、（Ｂ）はダンボール箱１２の開口１４部分を示す斜視図である。
開口１４はダンボール箱１２の箱形状を構成する複数の面のうち１つの面に設けられている。
本実施の形態では、図４（Ａ）、（Ｂ）に示すように、開口１４は、水平方向を向いた側面１２０６Ａに設けられ、言い換えると、開口１４は、４つの側面１２０６のうちの１つの側面１２０６Ａに設けられ、詳細には開口１４は１つの側面１２０６Ａの上部に設けられている。
そして、開口１４を開閉する蓋片２４が、開口１４が設けられた側面１２０６Ａの部分に一体に設けられ、蓋片２４は、１つの側面１２０６の上縁を構成する稜線１２１０を支点として揺動可能に設けられている。
また、開口１４の下縁には蓋片２４に指を掛けるための切り欠き１４０２が形成されている。
なお、開口１４から後述する収納箱１８を収納した後、蓋片２４を閉じ、その上からシールや封緘テープを貼るなど任意である。
【０００９】
図１（Ｂ）、（Ｃ）に示すように、収納部１６は、開口１４からダンボール箱１２の内部に延在する収納空間１７を有し、収納空間１７は、開口１４が設けられた側面１２０６Ａに直交する方向で該側面１２０６Ａに対向する側面１２０６Ｂの近傍まで水平方向に延在して形成されている。
収納空間１７は水平方向に細長に延在し、収納箱１８は、収納空間１７に収納されるように細長に形成されている。
そして、収納部１６は、開口１４から収納空間１７に挿入され収納された収納箱１８を、前記挿入される方向と直交する方向への移動を阻止し、かつ、ダンボール箱１２の内部で開口１４から離れる方向への移動を阻止するように形成されている。
本実施の形態では、後述する直方体を呈する収納箱１８が開口１４から収納空間１７に挿脱可能に収納されるようになっており、収納部１６は、収納箱１８の幅方向および高さ方向への移動を阻止し、かつ、収納箱１８の奥行き方向で開口１４が設けられた側面１２０６Ａに対向する側面１２０６Ｂ方向への移動を阻止するように構成されている。
【００１０】
本実施の形態では、収納部１６は緩衝部材２０に設けられている。
緩衝部材２０は複数設けられ、それぞれダンボール箱１２に収納され、製品とダンボール箱１２との間の隙間に充填されて製品や付属品の位置を保持するものである。
本実施の形態では、ダンボール箱１２の内部に、例えばＤＶＤプレーヤー、ＣＤプレーヤーなどの電子機器（電気製品）の本体が緩衝部材２０とともに収納され、リモコン装置２や電源ケーブル４などの付属品が緩衝部材２０とともにダンボール箱１２の内部の最上部に収納されるようになっており、収納部１６は、複数の緩衝部材２０のうち最も上位に位置しリモコン装置２や電源ケーブル４などの付属品の位置を保持する緩衝部材２０に設けられている。
【００１１】
図５は収納部１６が設けられた緩衝部材２０の斜視図、図６、図７、図８は緩衝部材２０の組み立て説明図、図９、図１０は収納部１６への収納箱１８の収納説明図である。
収納部１６は、収納空間１７と、収納空間１７を仕切る緩衝部材２０の部分とを含んで構成されている。
収納空間１７を仕切る緩衝部材２０の部分は、図５、図１０に示すように、第１当接部２６と第２当接部２８とを有している。
第１当接部２６は、開口１４の近傍に位置し収納空間１７に収納された収納箱１８の奥行き方向の両端のうちの一方の端部寄り箇所に当接し収納箱１８の幅方向および高さ方向への移動を阻止するように構成されている。
第２当接部２８は、収納空間１７に収納された収納箱１８の奥行き方向の両端のうちの他方の端部寄り箇所に当接し収納箱１８の幅方向および収納箱１８の奥行き方向で開口１４が設けられた側面１２０６Ａに対向する側面１２０６Ｂ方向への移動を阻止するように構成されている。
【００１２】
図６に示すように、緩衝部材２０は長方形状の１枚のダンボール３０から形成され、ダンボール３０には複数の折れ線（図６、図７に点線で示す）および複数の切れ線（図６、図７に実線で示す）を介して複数の片体、切り欠き３００２が形成されている。
ダンボール３０は折れ線から適宜折曲され、平面視形状がダンボール箱１２の内側にがたつきなく収容される寸法の矩形に形成されている。
緩衝部材２０は、開口１４が形成された側面１２０６Ａと、この側面１２０６Ａに対向する側面１２０６Ｂ寄りにそれぞれ位置する扁平な直方体形状の第１、第２箱部３２、３４と、それら第１、第２箱部３２、３４を接続する底板３６と、第１、第２箱部３２、３４間で底板３６から起立された仕切り壁３８などを有している。
緩衝部材２０のダンボール箱１２への挿入時に、開口１４が形成された側面１２０６Ａに、第１箱部３２の外側面３２０２が当接され、この側面１２０６Ａに対向する側面１２０６Ｂに、第２箱部３４の外側面３４０２が当接される。
本実施の形態では、上記の第１当接部２６が第１箱部３２に形成され、第２当接部２８が第２箱部３４に形成されている。
【００１３】
図１１は第1当接部２６の断面図である。
図１１に示すように、第１箱部３２には、切り欠き３００２（図６参照）により第１箱部３２に貫通形成され収納空間１７の一部を構成する第１収納空間２６Ａが形成されており、第１当接部２６は、第１収納空間２６Ａに収納された収納箱１８の上面に当接し第１収納空間２６Ａの上部を仕切る上面部２６Ｂと、収納箱１８の下面に当接し第１収納空間２６Ａの底部を仕切る底面部２６Ｃと、収納箱１８の左右側面に当接するダンボール切断面３００８とで構成されている。
上面部２６Ｂは、ダンボール３０の部分を構成する２枚のダンボール片３００４が重ね合わされて構成され、底面部２６Ｃは、ダンボール３０の部分を構成する１枚のダンボール片３００６と、収納箱１８の左右側面に当接するダンボール切断面３００８とで構成されている。
なお、第１当接部２６の底面部２６Ｃが１枚のダンボール片３００６で形成されているのに対し、上面部２６Ｂは２枚のダンボール片３００４で形成されており、これにより収納空間１７に収納される収納箱１８はダンボール箱１２の上面から離され、収納箱１８に収納されるリモコン装置２、電源コード４を保護する上で有利となっている。
さらに、図５に示すように、第１箱部３２の外側面３２０２には、蓋片４０が一体に揺動可能に設けられており、蓋片４０は第１箱部３２の上側の稜線３２１０を支点として第１収納空間２６Ａを開閉するように形成され、蓋片４０には摘み４００２が設けられている。
したがって、緩衝部材２０がダンボール箱１２に収容された状態で、蓋片４０は開口１４に臨んで収納空間１７を開閉するように設けられている。
また、本実施の形態では、開口１４を開閉する蓋片２４と収納空間１７を開閉する蓋片４０とが同一の方向に揺動するように構成されている。
なお、蓋片４０の形状は、開口１４内で開閉できるように開口１４よりも小さな寸法で形成されている。
【００１４】
図１２は第２当接部２８を構成するダンボール３０の展開図、図１３は第２当接部２８の断面図である。
図５、図１３に示すように、第２当接部２８は、収納空間１７の一部を構成し上方および第１箱部３２側に開放状の第２収納空間２８Ａと、この第２収納空間２８Ａに収納された収納箱１８の下面に当接しダンボール３０の部分を構成する１枚のダンボール片３０１０と、収納箱１８の左右側面に当接するダンボール切断面３０１２と、収納箱１８の端面に当接する奥端面３０１４とで構成されている。
図１２、図１３に示すように、奥端面３０１４は、片体３０２０が折れ線３０２２から折曲されることで形成されている。
そして、収納箱１８が第２収納空間２８Ａに挿入されやすいように、片体３０２０を縁取る切れ線３０２４と切り欠き３０２６は、第２収納空間２８Ａの幅方向の寸法が奥端面３０１４から離れるにつれて、すなわち、奥端面３０１４から開口１４方向に近づくにつれて次第に大きくなるように形成されている。
なお、本実施の形態では、収納空間１７は、第１当接部２６を構成する第１収納空間２６Ａと、第２当接部２８を構成する第２収納空間２８Ａと、それら収納空間２６Ａ、２８Ａの間に位置する底板３６上の空間部分とで構成されている。
【００１５】
図１４（Ａ）乃至（Ｅ）は収納箱１８の組み立て説明図である。
収納箱１８は、１枚のダンボール１８Ａから形成され、ダンボール１８Ａには複数の折れ線（図１４に点線で示す）および複数の切れ線（図１４に実線で示す）を介して複数の片体１８Ｂが形成されている。
収納箱１８は、均一の幅と均一の高さと、幅、高さよりも大きい寸法の奥行きを有する直方体状を呈し、収納箱１８の奥行き方向の端部に、収納箱１８が収納部１６に収納された状態で開口１４に臨む摘み１８０２が設けられている。
摘み１８０２は外方に突出する折癖が付けられている。
図２、図１４に示すように、収納箱１８は、高さ方向の両端に位置する２つの面のうちの一方が上面１８１０で他方が下面１８１２となっており、上面１８１０は開閉可能に設けられている。
【００１６】
本実施の形態の梱包材構造１０によれば、ダンボール箱１２に、製品が付属品とともに収納されダンボール箱１２が封緘テープ２２により封緘された状態で、梱包を解くことなく収納箱１８を出し入れできるので、リモコン装置２や電源ケーブル４などの付属品を後から収納でき、あるいは、交換でき、梱包作業の効率化を図る上で有利となる。
例えば、リモコン装置２として米国向けに英語で表示されたものと、日本国内向けに日本語で表示されたものとの２種類があり、双方の出荷日のみが予め決められ双方への出荷数（数万個、数十万個の単位）が決められていないような場合、あるいは、米国の規格に合わせた電源ケーブル４と、日本国内の規格に合わせた電源ケーブル４との２種類があり、双方の出荷日のみが予め決められ双方への出荷数（数万個、数十万個の単位）が決められていないような場合、リモコン装置２や電源ケーブル４を除いた全ての付属品および機器本体を予め梱包しダンボール箱１２を封緘テープにより封緘した状態まで形成しておき、出荷数が決まった時点で、リモコン装置２や電源ケーブル４を収納する収納箱１８を開口１４から収納空間１７に挿入すればよく、したがって、梱包作業の自由度が高められまた梱包作業の効率化を図る上で有利となる。
【００１７】
また、例えば、リモコン装置２として米国向けに英語で表示されたものと、日本国内向けに日本語で表示されたものとの２種類があり、双方の出荷日と出荷数（数万個、数十万個の単位）とが決められ全ての付属品および機器本体が梱包されてダンボール箱１２が封緘テープにより封緘されていたが直前になって米国向けと日本国内向けとの間で出荷数の変更が生じた場合、あるいは、米国の規格に合わせた電源ケーブル４と、日本国内の規格に合わせた電源ケーブル４との２種類があり、双方の出荷日と出荷数（数万個、数十万個の単位）とが決められ全ての付属品および機器本体が梱包されてダンボール箱１２が封緘テープにより封緘されていたが直前になって米国向けと日本国内向けとの間で出荷数の変更が生じた場合、封緘テープ２２を封緘した状態のままで、それらリモコン装置２や電源ケーブル４を収納する収納箱１８を収納空間１７に対して挿脱すればよく、したがって、梱包作業の自由度が高められまた梱包作業の効率化を図れ、簡単に迅速に対応することが可能となる。
【００１８】
また、ダンボール箱１２の側面１２０６Ａに開口１４を設けたので、ダンボール箱１２を上下に積み重ねた状態で開口１４を介して収納箱１８の出し入れができ、収納箱１８の出し入れ作業をダンボール箱１２を動かさずに行うことができ有利である。
また、ダンボール箱１２の側面１２０６Ａの上部に開口１４を設け、ダンボール箱１２の蓋片２４を１つの側面１２０６の上縁を構成する稜線を支点として揺動可能に設けたので、折り目を別途設ける必要がなくダンボール箱１２のコストダウンを図る上で有利となる。
【００１９】
また、緩衝部材２０に、収納空間１７を開閉する蓋体４０を設けたので、緩衝部材２０をダンボール箱１２から取り出す際、収納箱１８の緩衝部材２０からの抜落を防止でき、リモコン装置２や電源ケーブル４を収納箱１８で保護する上で有利である。
また、収納箱１８はダンボール製であるため、収納箱１８を収納空間１７に収納した状態で収納箱１８を緩衝部材としても機能させることができ、緩衝効果を高める上で有利となる。
また、開口１４を開閉する蓋片２４と収納空間１７を開閉する蓋片４０とが同一の方向に揺動するので、収納箱１８の出し入れを行う際の作業性の向上を図る上で有利となる。
【００２０】
なお、ダンボール箱１２が円筒形を呈するなど、ダンボール箱１２の形状、構成は任意であり、本発明は従来公知の様々な形状、構成のダンボール箱１２に適用可能である。その場合にも、開口１４を水平方向に向いた側面１２０６に形成すると、ダンボール箱１２を上下に積み重ねた状態で開口１４を介して収納箱１８の出し入れができ、収納箱１８の出し入れ作業をダンボール箱１２を動かさずに行うことができ有利となる。
また、収納箱１８が円筒形を呈するなど、収納箱１８の形状、構成は任意であり、収納箱１８は従来公知の様々な形状、構成のものに適用可能である。
また、開口１４を開閉する蓋体２４を省略し、収納箱１８の収納後に開口１４をシールで閉塞するようにしてもよい。
また、ダンボール箱１２に収納する物は、ＤＶＤプレーヤーやＣＤプレーヤーなどの電子機器に限定されず、様々な製品、商品に適用可能である。
また、緩衝部材２０はダンボールに限定されず、発泡スチロールなど従来公知の様々な材料が適用可能である。
また、収納空間１７の延在方向は水平方向に限定されず、垂直方向の場合も本発明は適用される。
【図面の簡単な説明】
【００２１】
【図１】（Ａ）乃至（Ｃ）は本実施の形態の梱包材構造１０の要部の分解説明図である。
【図２】（Ａ）、（Ｂ）は本実施の形態の梱包材構造１０の梱包作業の説明図である。
【図３】ダンボール箱１２を構成するダンボール１２Ａの展開図である。
【図４】（Ａ）、（Ｂ）はダンボール箱１２の開口１４部分を示す斜視図である。
【図５】収納部１６が設けられた緩衝部材２０の斜視図である。
【図６】緩衝部材２０の組み立て説明図である。
【図７】緩衝部材２０の組み立て説明図である。
【図８】緩衝部材２０の組み立て説明図である。
【図９】収納部１６への収納箱１８の収納説明図である。
【図１０】収納部１６への収納箱１８の収納説明図である。
【図１１】第1当接部２６の断面図である。
【図１２】第２当接部２８を構成するダンボール３０の展開図である。
【図１３】第２当接部２８の断面図である。
【図１４】（Ａ）乃至（Ｅ）は収納箱１８の組み立て説明図である。
【符号の説明】
【００２２】
１０……梱包材構造、１２……ダンボール箱、１４……開口、１６……収納部、１７……収納空間、１８……収納箱。
【図１】
2007308167.tif 000003
【図２】
2007308167.tif 000004
【図３】
2007308167.tif 000005
【図４】
2007308167.tif 000006
【図５】
2007308167.tif 000007
【図６】
2007308167.tif 000008
【図７】
2007308167.tif 000009
【図８】
2007308167.tif 000010
【図９】
2007308167.tif 000011
【図１０】
2007308167.tif 000012
【図１１】
2007308167.tif 000013
【図１２】
2007308167.tif 000014
【図１３】
2007308167.tif 000015
【図１４】
2007308167.tif 000016